(57)【要約】【課題】熱交換器の通過位置に応じた熱交換量の隔たりを低減させ、製造が容易な空気調和装置を提供する。【解決手段】ケーシング４は、吸込口４Ｓと吹出口４Ｅとを有している。クロスフローファン１１は、ケーシング４の内部に収容され、吸込口４Ｓから吹出口４Ｅに向かう空気流れを形成する。室内熱交換器１０は、ケーシング４の内部に収容され、空気流れの途中に配置されている。遮風板１７は、室内熱交換器１０のうち設置状態での空気流れ方向における幅が相対的に薄くなっている部分の上流側に設けられ、上流側に向けて突出した形状を有しており、空気流れを遮る。【選択図】図４
2008292029.tif 000002
【特許請求の範囲】
【請求項１】
吸い込んだ空気を調和して吹き出す空気調和装置（１００）であって、
吸込口（４Ｓ）と吹出口（４Ｅ）とを有するケーシング（４）と、
前記ケーシング（４）の内部に収容され、前記吸込口から吹出口に向かう空気流れを形成するファン（１１）と、
前記ケーシング（４）の内部に収容され、前記空気流れの途中に配置される熱交換器（１０）と、
前記熱交換器のうち設置状態での前記空気流れ方向における幅が相対的に薄くなっている部分の上流側に設けられ、上流側に向けて突出した形状を有しており、前記空気流れを遮る遮風板（１７）と、
を備えた空気調和装置（１００）。
【請求項２】
前記遮風板（１７）の前記空気流れ上流側の形状は、前記空気流れの上流側から下流側に向かうにつれて上下方向の厚みが増していく形状となっている、
請求項１に記載の空気調和装置（１００）。
【請求項３】
前記熱交換器（１０）は、複数のフィンを有しており、
前記熱交換器（１０）は、第１熱交換器（１０ａ）と、前記第１熱交換器の下端から下方に伸びている第２熱交換器（１０ｂ）とを有し、前記第１熱交換器のフィンの面における長手方向と前記第２熱交換器のフィンの面における長手方向とによって形成される下流側の角度が１８０°より小さく、
前記熱交換器のうち設置状態での前記空気流れ方向における幅が相対的に薄くなっている部分は、前記第１熱交換器と前記第２熱交換器との折れ曲がり接触部分である、
請求項１または２に記載の空気調和装置（１００）。
【請求項４】
前記第１熱交換器のフィンの面の長手方向に対して垂直な方向の幅と、前記第２熱交換器のフィンの面の長手方向に対して垂直な方向の幅とは、略同一であり、
前記第１熱交換器（１０ａ）の下端部の下流側と、前記第２熱交換器（１０ｂ）の上端部の下流側とが接している、
請求項３に記載の空気調和装置（１００）。
【請求項５】
前記第１熱交換器（１０ａ）と、前記第２熱交換器（１０ｂ）とは、下流側端部を折り曲げ支点として折り曲げられており、前記折り曲げ支点を頂点とする前記第１熱交換器のフィンの角度と前記折り曲げ支点を頂点とする第２熱交換器のフィンの角度との合計が１８０°未満である、
請求項４に記載の空気調和装置（１００）。
【請求項６】
前記熱交換器（１０）は、前記第２熱交換器（１０ｂ）の前記空気流れ下流側端部からさらに下流側に延びる第３熱交換器（１０ｃ）を有しており、
前記第２熱交換器の長手方向と前記第３熱交換器の長手方向とがなす下流側の角度は１８０°より小さい、
請求項３から５のいずれか１項に記載の空気調和装置（１００）。
【請求項７】
前記ファン（１１）は、貫流ファンである、
請求項１から６のいずれか１項に記載の空気調和装置（１００）。
【請求項８】
前記ファン（１１）は、多翼ファンである、
請求項１から６のいずれか１項に記載の空気調和装置（１００）。
【発明の詳細な説明】
【技術分野】
【０００１】
本発明は、熱交換器を備えた空気調和装置に関する。
【背景技術】
【０００２】
従来、空気調和装置の室内機に収容される室内熱交換器は、例えば、以下の特許文献１に示すように、室内機の能力を向上させつつ薄型化させるために、多段曲げされた状態で本体ケーシング内に収容されている。
【０００３】
このような多段曲げの室内熱交換器が収容された室内機では、本体ケーシングが室内熱交換器の曲げ部分に沿うように形成されている。
【０００４】
また、以下の特許文献２に示すように、多段曲げされた熱交換器の曲げ部分において、遮蔽部を設けた構成のものが提案されている。熱交換器の曲げ部分を通過して熱交換が不十分な空気と、熱交換器を通過して熱交換が十分な空気とが混合してしまうと、周囲に結露を生じさせる問題があるが、特許文献２に記載の熱交換器では、曲げ部分を通過しにくいように遮蔽部が設けられているため、結露の問題を改善させることができている。
【特許文献１】特開２００６−１４５０５０号公報
【特許文献２】特開２００２−２１３７６１号公報
【発明の開示】
【発明が解決しようとする課題】
【０００５】
しかし、上記特許文献２に記載の空気調和装置では、曲げ部分において遮蔽部を形成させるために、フィンに切れ込みを入れたり、部分的に折り曲げる工程が必要となっており、製造工程が複雑になっている。
【０００６】
本発明は、上述した点に鑑みてなされたものであり、本発明の課題は、熱交換器の通過位置に応じた熱交換量の隔たりを低減させ、製造が容易な空気調和装置を提供することにある。
【課題を解決するための手段】
【０００７】
第１発明に係る空気調和装置は、吸い込んだ空気を調和して吹き出す空気調和装置であって、ケーシングと、ファンと、熱交換器と、遮風板とを備えている。ケーシングは、吸込口と吹出口とを有している。ファンは、ケーシングの内部に収容され、吸込口から吹出口に向かう空気流れを形成する。熱交換器は、ケーシングの内部に収容され、空気流れの途中に配置されている。遮風板は、熱交換器のうち設置状態での空気流れ方向における幅が相対的に薄くなっている部分の上流側に設けられ、上流側に向けて突出した形状を有しており、空気流れを遮る。なお、ここでの熱交換器において空気流れ方向における幅が相対的に薄くなっている部分には、例えば、熱交換器を折り曲げて配置した場合の折り曲がり部分等が含まれる。
【０００８】
ここでは、熱交換器を通過した空気は、熱交換によって調和される。しかし、熱交換器において空気流れ方向における幅が相対的に薄い部分を通過した空気の熱交換量と、相対的に厚い部分を通過した空気の熱交換量とは異なるため、これらの空気が熱交換器の下流側で混ざり合うと、熱交換器の下流側に配置された部材等の表面において結露が生じてしまうおそれがある。
【０００９】
これに対して、第１発明の空気調和装置では、相対的に薄い部分の上流側に遮風板が設けられているため、空気流れは、この相対的に薄い部分を避けて通過するようになる。このため、熱交換器を通過した空気は、ほぼ同程度に熱交換されていることになるため、略均一な温度となり、結露が生じにくい。さらに、遮風板は、上流側に突出した形状を有しているため、熱交換器を通過しようとする空気流れは、熱交換器の上流側において、スムーズに分割され、空気流れの抵抗となることが抑えられている。さらに、これらの効果は、上流側に突出した形状の遮風板を熱交換器の相対的に薄くなっている部分の上流側に取り付けるだけで得られるため、製造が容易である。
【００１０】
これにより、熱交換器の通過位置に応じた熱交換量の隔たりを低減させて結露の発生を抑えつつ、各空気流れの抵抗を抑え、容易に製造することが可能になる。
【００１１】
第２発明に係る空気調和装置は、第１発明の空気調和装置であって、遮風板の空気流れ上流側の形状は、空気流れの上流側から下流側に向かうにつれて上下方向の厚みが増していく形状となっている。
【００１２】
ここでは、空気流れ上流側から下流側に向かうにつれて上下方向の厚みが徐々に増すように、遮風板が形成されている。このため、空気流れの分割をよりスムーズにさせることができる。
【００１３】
これにより、遮風板に空気流れが衝突することで逆流が生じてしまい、遮風板の上流側の面積以上の悪影響が生じてしまうおそれを低減させることが可能になる。
【００１４】
第３発明に係る空気調和装置は、第１発明または第２発明の空気調和装置であって、熱交換器は、複数のフィンを有している。熱交換器は、第１熱交換器と、第１熱交換器の下端から下方に伸びている第２熱交換器とを有している。この第１熱交換器のフィンの面における長手方向と第２熱交換器のフィンの面における長手方向とによって形成される下流側の角度は、１８０°より小さい。ここで、ファンは、熱交換器の上流側に位置していても、下流側に位置していても、いずれであってもよい。熱交換器のうち設置状態での空気流れ方向における幅が相対的に薄くなっている部分は、第１熱交換器と第２熱交換器との折れ曲がり接触部分である。
【００１５】
ここでは、第１熱交換器フィンの面における長手方向と第２熱交換器フィンの面における長手方向とが互いに折れ曲がって配置されている。このため、必要長の熱交換器をコンパクト化させることができるため、空気調和装置を小型化させることができる。そして、第１熱交換器と第２熱交換器とが折れ曲がって空気流れ方向に薄くなっている部分の上流側には、遮蔽板が設けられているため、熱交換量の部分的な隔たりを低減させることができる。
【００１６】
これにより、第１熱交換器と第２熱交換器とを折り曲げて空気調和装置の小型化を図りつつ、熱交換量の隔たりを低減させることが可能になる。
【００１７】
第４発明に係る空気調和装置は、第３発明の空気調和装置であって、第１熱交換器のフィンの面の長手方向に対して垂直な方向の幅と、第２熱交換器のフィンの面の長手方向に対して垂直な方向の幅とは、略同一である。そして、第１熱交換器の下端部の下流側と、第２熱交換器の上端部の下流側とが接している。
【００１８】
ここでは、フィンの面の長手方向に対して垂直な方向の幅が互いに等しい第１熱交換器と第２熱交換器とを用いているため、第１熱交換器の下端部の下流側と第２熱交換器の上端部の下流側とが接しているように第１熱交換器と第２熱交換器とを折った場合に、空気流れ方向の幅が薄い部分が生じることになる。そして、この形成された薄い部分に、遮風板を設けることができる。
【００１９】
これにより、熱交換器の設置作業において、フィン幅が略同一な熱交換器を折って生じた薄い部分に遮風板を設けるだけで容易に製造することが可能になる。
【００２０】
第５発明に係る空気調和装置では、第４発明の空気調和装置であって、第１熱交換器と、第２熱交換器とは、下流側端部を折り曲げ支点として折り曲げられている。そして、折り曲げ支点を頂点とする第１熱交換器のフィンの角度と、折り曲げ支点を頂点とする第２熱交換器のフィンの角度と、の合計が１８０°未満である。
【００２１】
ここでは、第１熱交換器と第２熱交換器とを下流側端部を折り曲げ支点として、互いに折り曲げると、フィンに厚みがあるために、第１熱交換器の上流側端部もしくは第２熱交換器の上流側端部のいずれかが最も上流側に位置することになる。
【００２２】
これに対して、第５発明の空気調和装置では、折り曲げ支点を頂点とする第１熱交換器のフィンの角度と、支点を頂点とする第２熱交換器のフィンの角度と、の合計が１８０°未満となるように構成されている。すなわち、折り曲げ支点を頂点とする第１熱交換器のフィンの角度、もしくは、折り曲げ支点を頂点とする第２熱交換器のフィンの角度のいずれかがより小さい角度となるように削り取られている。このため、第１熱交換器の上流側端部もしくは第２熱交換器の上流側端部のいずれかの最も上流側に位置する部分が下流側にシフトされている。
【００２３】
これにより、熱交換器の上流側を削った分だけ、空気流れ方向の幅を小型化させることが可能になる。
【００２４】
第６発明に係る空気調和装置では、第３発明から第５発明のいずれかの空気調和装置であって、熱交換器は、第２熱交換器の空気流れ下流側端部からさらに下流側に延びる第３熱交換器を有している。そして、第２熱交換器の長手方向と第３熱交換器の長手方向とがなす下流側の角度は１８０°より小さい。
【００２５】
ここでは、第２熱交換器と第３熱交換器とが下流側に曲げられている分だけ、設置スペースを狭小化させることができる。
【００２６】
これにより、空気調和装置の厚みを低減させることが可能になる。
【００２７】
第７発明に係る空気調和装置では、第１発明から第６発明のいずれかの空気調和装置であって、ファンは、貫流ファンである。
【００２８】
ここでは、ファンとして貫流ファンを採用した場合であっても、貫流ファンにおいて結露が発生することを抑えることが可能になる。
【００２９】
第８発明に係る空気調和装置では、第１発明から第６発明のいずれかの空気調和装置であって、ファンは、多翼ファンである。
【００３０】
ここでは、ファンとして多翼ファンを採用した場合であっても、多翼ファンにおいて結露が発生することを抑えることができる。
【発明の効果】
【００３１】
第１発明の空気調和装置では、熱交換器の通過位置に応じた熱交換量の隔たりを低減させて結露の発生を抑えつつ、各空気流れの抵抗を抑え、容易に製造することが可能になる。
【００３２】
第２発明の空気調和装置では、遮風板に空気流れが衝突することで逆流が生じてしまい、遮風板の上流側の面積以上の悪影響が生じてしまうおそれを低減させることが可能になる。
【００３３】
第３発明の空気調和装置では、第１熱交換器と第２熱交換器とを折り曲げて空気調和装置の小型化を図りつつ、熱交換量の隔たりを低減させることが可能になる。
【００３４】
第４発明の空気調和装置では、熱交換器の設置作業において、フィン幅が略同一な熱交換器を折って生じた薄い部分に遮風板を設けるだけで容易に製造することが可能になる。
【００３５】
第５発明の空気調和装置では、熱交換器の上流側を削った分だけ、空気流れ方向の幅を小型化させることが可能になる。
【００３６】
第６発明の空気調和装置では、空気調和装置の厚みを低減させることが可能になる。
【００３７】
第７発明の空気調和装置では、貫流ファンにおいて結露が発生することを抑えることが可能になる。
【００３８】
第８発明の空気調和装置では、多翼ファンにおいて結露が発生することを抑えることができる。
【発明を実施するための最良の形態】
【００３９】
以下、図面に基づいて、本発明に係る空気調和装置の実施形態について説明する。
【００４０】
＜空気調和装置の概略構成＞
本発明の一実施形態が採用された空気調和装置１００は、図１および図２に示すように、室内の天井面に沿うように設置される室内機１と、室外に設置される室外機２とを備えている。
【００４１】
室内機１内および室外機２内にはそれぞれ熱交換器１０、２０が収納されており、各熱交換器が冷媒配管５により接続されることにより冷媒回路を構成している。
【００４２】
＜空気調和装置１００の冷媒回路の構成概略＞
図１に示すように、空気調和装置１００の冷媒回路は、主として室内熱交換器１０、アキュムレータ２１、圧縮機２２、四路切換弁２３、室外熱交換器２０および膨張弁２４で構成される。
【００４３】
（室内機１）
室内機１に設けられている室内熱交換器１０は、接触する空気との間で熱交換を行う。ここでは、室内熱交換器１０は、フィンアンドチューブ型である。なお、室内機１内の冷媒回路には、後述する電磁弁１３が設けられており、冷媒の流量を調節することができる。
【００４４】
また、室内機１には、室内空気を吸い込んで室内熱交換器１０に通し熱交換が行われた後の空気を室内に排出するためのクロスフローファン１１が設けられている。クロスフローファン１１は、室内機１内に設けられる１つの室内ファンモータ１２によって回転駆動される。
【００４５】
（室外機２）
室外機２には、図１に示すように、圧縮機２２と、圧縮機２２の吐出側に接続される四路切換弁２３と、圧縮機２２の吸入側に接続されるアキュムレータ２１と、四路切換弁２３に接続されたフィンアンドチューブ型の室外熱交換器２０と、室外熱交換器２０に接続された膨張弁２４とが設けられている。
【００４６】
膨張弁２４は、液閉鎖弁２６を介して配管に接続されており、この配管を介して室内熱交換器１０の一端と接続される。
【００４７】
また、四路切換弁２３は、ガス閉鎖弁２７を介して配管に接続されており、この配管を介して室内熱交換器１０の他端と接続されている。
【００４８】
また、室外機２には、室外熱交換器２０での熱交換後の空気を外部に排出するためのプロペラファン２８が設けられている。このプロペラファン２８は、室外ファンモータ２９によって回転駆動される。
【００４９】
（室内機１の詳細構成）
室内機１は、図２に示すように、壁Ｗ近傍の天井に設置され、クロスフローファン１１が回転駆動すると、室内空間ＲＳからの室内空気ＲＡが吸込口４Ｓを介して室内熱交換器１０を通過するように取り込まれる。ここで、室内機１の吸込口４Ｓの空気流れ方向における上流側は、水平方向に開口しており、室内空気ＲＡを略水平方向に取り込む。そして、熱交換された調和空気ＳＡは、吹出口４Ｅを介して再び室内空間ＲＳに戻される。これにより、対象となる室内空間ＲＳが空調される。
【００５０】
なお、以下、上流側とは、クロスフローファン１１によって形成される図面上左から右に向かう空気流れにおいて、左側を指すものとし、下流側とは、右側を指すものとする。
【００５１】
ここで、図３の室内機１の側面視断面図に示すように、室内熱交換器１０やクロスフローファン１１、電磁弁１３、ドレンパン１５、遮風板１７、電装品箱７０等は、ケーシング４内に配置されている。
【００５２】
このケーシング４の上流側には、ケーシング４の上流側上端部と、電装品箱７０の上面側と、によって囲まれた吸込口４Ｓが形成されている。また、ケーシング４の下流側には、クロスフローファン１１の出口と共通している吹出口４Ｅが形成されている。
【００５３】
クロスフローファン１１は、ファン１１ａと、上部ファンケーシング１１ｂと、下部ファンケーシング１１ｃとを有している。ファン１１ａは、貫流ファンである。上部ファンケーシング１１ｂと下部ファンケーシング１１ｃとは一体となって送風流路を形成している。なお、このクロスフローファン１１が駆動すると、ケーシング４内部に吸込口４Ｓから吹出口４Ｅに向かう略水平方向の空気流れが形成される。
【００５４】
電磁弁１３は、ケーシング４の上流側上端近傍に配置されており、室内熱交換器１０に対する冷媒供給量を調節する。
【００５５】
室内熱交換器１０は、クロスフローファン１１と電磁弁１３との間に配置されており、互いに連なった第１熱交換器１０ａと、第２熱交換器１０ｂと、第３熱交換器１０ｃとを有している。第１熱交換器１０ａは、電磁弁１３の下流側のケーシング４の上面から吊り下げられている。ここで、第１熱交換器１０ａは、電磁弁１３の下流側から電磁弁１３の下方にかけて位置しており、下方が上流側に向くように傾斜している。第２熱交換器１０ｂは、第１熱交換器１０ａの下端部から伸びており、下方が下流側に向くように傾斜している。ここで、第１熱交換器１０ａと第２熱交換器１０ｂとは、平面視において互いに重なるように折り返されて配置されているため、空気流れ方向の幅を小型化することが可能になっている。第３熱交換器１０ｃは、第２熱交換器の下端部からクロスフローファン１１の下方近傍まで伸びており、下方が下流側に向くように傾斜しており、第２熱交換器１０ｂの傾斜よりもゆるやかな傾斜となっている。このように、第１熱交換器１０ａ、第２熱交換器１０ｂおよび第３熱交換器１０ｃは、クロスフローファン１１を取り囲むように互いに折り曲げられているため、折り曲げられていない熱交換器が配置される構成と比較して、クロスフローファン１１によって形成される空気流れがより多くの熱交換器を通過できるため、熱交換効率が向上している。また、第２熱交換器１０ｂに対して第３熱交換器１０ｃが曲げられているため、上下方向の幅をさらに狭めて、コンパクト化させることができている。なお、第１熱交換器１０ａと第２熱交換器１０ｂとがなすクロスフローファン１１側の角度、および、第２熱交換器１０ｂと第３熱交換器１０ｃとがなすクロスフローファン１１側の角度のいずれについても、１８０°未満であり、ケーシング４をコンパクト化させることができるようにしつつ、クロスフローファン１１が機能できる程度まで、十分に折り曲げられている。
【００５６】
これらのフィンアンドチューブ型の第１熱交換器１０ａ、第２熱交換器１０ｂ、第３熱交換器１０ｃは、いずれもフィンの面上の長手方向に対して垂直な方向の幅が、いずれにおいても等しい。そして、図３に示すように、第１熱交換器１０ａの下端部の下流側と第２熱交換器１０ｂの上端部の下流側とが接するように第１熱交換器１０ａと第２熱交換器１０ｂとが折り曲げられている。これにより、第１熱交換器１０ａと第２熱交換器１０ｂとの接触部分近傍において、空気流れ方向の幅が薄い部分が形成されている。なお、図３に示すように、折り曲げ支点を頂点とする第１熱交換器１０ａのフィンの角度と、折り曲げ支点を頂点とする第２熱交換器１０ｂのフィンの角度と、の合計が１８０°未満となるように構成されている。すなわち、第１熱交換器１０ａの、第２熱交換器１０ｂとの接触部分近傍の上流側下端部は、カットされている。このように、第１熱交換器１０ａの上流側下端部がカットされているために、空気流れ方向の幅を小型化させることができている。
【００５７】
遮風板１７は、第１熱交換器１０ａと第２熱交換器１０ｂとの接触部分近傍において形成されている空気流れ方向の幅が薄い部分の上流側に配置されるくさび型の部材であり、この薄い部分の空気流れ方向における通過を遮っている。この遮風板１７は、ＡＢＳ（アクリロニトリル（Acrylonitrile)、ブタジエン（Butadiene)、スチレン（Styrene)共重合合成樹脂）、もしくは、ＰＰ（ポリプロピレン（polypropylene)）等の樹脂でできており、室内熱交換器１０の空気流れ方向の幅が薄くなっている折れ曲がり部分に対して、嵌め込まれる。このように、遮風板１７は、室内熱交換器１０のうち空気流れ方向において相対的に薄い部分の上流側に設けられているため、空気流れは、図４に示すように、この相対的に薄い部分を避けて通過するようになる。このため、室内熱交換器１０を通過した空気は、室内熱交換器１０のどの部分を通過した空気であっても、ほぼ同程度に熱交換されていることになる。したがって、室内熱交換器１０の下流側の空気は、略均一な温度となり、クロスフローファン１１等の部材表面において結露が生じにくい。また、遮風板１７は、下流側に向けて少しずつ上下方向の厚みが少しずつ増すように、上流側に突出したくさび型の形状を有している。このため、室内熱交換器１０を通過しようとする空気流れは、室内熱交換器１０の上流側（遮風板１７の上流側）において、スムーズに分割され、遮風板１７が設けられていることによる空気流れの抵抗を抑えることができる。
【００５８】
ドレンパン１５は、上述した熱交換器１０および電磁弁１３から滴り落ちてくる凝縮水の全てを下方で受け止めることができるように、熱交換器１０および電磁弁１３の下方に全域において広がっている。すなわち、平面視において、ドレンパン１５の外縁は、第１熱交換器１０ａ、第２熱交換器１０ｂ、第３熱交換器１０ｃおよび電磁弁１３の外縁の外側に見えるように配置されている。これにより、ドレンパン１５は、第１熱交換器１０ａ、第２熱交換器１０ｂ、第３熱交換器１０ｃおよび電磁弁１３において生じた凝縮水をほとんど全て捕らえることができる。なお、ドレンパン１５は、クロスフローファン１１の近傍まで伸びて配置されている。このドレンパン１５は、上流側が下がるように勾配を有しており、下端部近傍にドレンホース１５ｈを有している。ドレンパン１５が捕らえた水は、このドレンホース１５ｈを介して屋外に排出される。このドレンパン１５は、クロスフローファン１１とケーシング４の吸込口４Ｓとの間から外れた場所に位置しているため、熱交換器１０を通過する空気流れを妨げることがなく、送風抵抗となることが抑えられている。
【００５９】
電装品箱７０は、ケーシング４の上流側下端部であって、熱交換器１０およびドレンパン１５の上流側に配置されており、ドレンパン１５との間にわずかに間隙が設けられている。また、図３に示すように、電装品箱７０の高さは、ドレンパン１５の高さより低くなるように設けられている。
【００６０】
＜空気調和装置１００の特徴＞
（１）
室内熱交換器を通過した空気は、熱交換によって調和される。しかし、例えば、室内熱交換器において空気流れ方向における幅が相対的に薄い部分を通過した空気の熱交換量と、相対的に厚い部分を通過した空気の熱交換量とは異なるため、これらの空気が室内熱交換器の下流側で混ざり合うと、結露が生じてしまうおそれがある。
【００６１】
これに対して、本実施形態の空気調和装置１００では、室内熱交換器１０の曲げ部分を空気が通過できないように、遮風板１７を設けている。このため、空気流れは、この相対的に薄い部分を避けて他の一定の厚みを有している部分を通過するようになる。したがって、室内熱交換器１０を通過した空気は、ほぼ同程度に熱交換されていることになるため、室内熱交換器１０の下流側の空気は略均一な温度となり、結露が生じにくい。
【００６２】
（２）
例えば、図９に示すように、空気調和装置９００では、室内熱交換器１０の曲げ部分の上流側の形状に沿うように遮風板９１７を設けることもできる。しかし、このように、上流側に向けて広がるように配置された略「く」の字形状の遮風板９１７では、上流側から流れてきた空気流れが逆流してしまい、遮風板９１７の下流側近傍の空気流れを乱し、遮風板９１７の下流側だけでなく遮風板９１７の面積以上の範囲においてまで、空気流れの乱れを生じさせることになる。これでは、室内熱交換器１０の曲げ部分近傍の空気流れの抵抗が大きくなってしまう。
【００６３】
これに対して、本実施形態の空気調和装置１００では、遮風板１７は、上流側に突出したくさび型の形状を有しているため、室内熱交換器１０を通過しようとする空気流れは、室内熱交換器１０の上流側において、スムーズに分割され、空気流れの抵抗を低く抑えることができている。
【００６４】
（３）
本実施形態の空気調和装置１００は、遮風板１７は、フィンの端部を折り曲げて通風抵抗を設けるのではなく、フィンとは別部材として、樹脂製の遮風板１７を室内熱交換器１０の曲げ部分の上流側に取り付けるだけでよく、製造が容易である。
【００６５】
（４）
上記実施形態の空気調和装置１００では、第１熱交換器１０ａの下流側下端部がカットされているため、第１熱交換器１０ａの下流側下端部と第２熱交換器１ｂの下流側上端部とによって形成されるクロスフローファン１１側（下流側）の角度よりも、第１熱交換器１０ａの下流側下端部と第２熱交換器１ｂの下流側上端部とによって形成される上流側の角度のほうが大きくなっている。これにより、第１熱交換器１０ａの上流側下端部を削った分だけ、空気流れ方向の幅を小型化させることができている。
【００６６】
＜変形例＞
以上、本発明の実施形態について図面に基づいて説明したが、具体的な構成は、これらの実施形態に限られるものではなく、以下のように、発明の要旨を逸脱しない範囲で変更可能である。
【００６７】
（Ａ）
上記実施形態の空気調和装置１００では、室内熱交換器１０の第１熱交換器１０ａと第２熱交換器１０ｂとの折れ曲がり部分の上流側にくさび型の遮風板１７が設けられる場合を例に挙げて説明した。
【００６８】
しかし、本発明はこれに限られるものではなく、室内熱交換器１０の第１熱交換器１０ａと第２熱交換器１０ｂとの折れ曲がり部分の上流側に設けられる遮風板１７は、例えば、図５に示すように、最も空気流れ方向の幅が薄い部分の上流側近傍のある点を支点として形成される上方の扇形と、最も空気流れ方向の幅が薄い部分の上流側近傍の他のある点を支点として形成される下方の扇形と、が合わさった略円弧形状のものであってもよい。この場合であっても、上記実施形態と同様に、空気流れをスムーズに分割しつつ、下流側における結露の発生を抑えることができる。
【００６９】
（Ｂ）
上記実施形態の空気調和装置１００では、室内熱交換器１０の第１熱交換器１０ａと第２熱交換器１０ｂとの折れ曲がり部分の上流側にくさび型の遮風板１７が設けられる場合を例に挙げて説明した。
【００７０】
しかし、本発明はこれに限られるものではなく、室内熱交換器１０の第１熱交換器１０ａと第２熱交換器１０ｂとの折れ曲がり部分の上流側に設けられる遮風板１７は、例えば、図６に示すように、上記実施形態のくさび型の遮風板１７の上流側の上方の辺および下方の辺のそれぞれが内側がわずかに窪むように反った略逆円弧形状のものであってもよい。この場合であっても、上記実施形態と同様に、空気流れをスムーズに分割しつつ、下流側における結露の発生を抑えることができる。
【００７１】
（Ｃ）
上記実施形態の空気調和装置１００では、第１熱交換器１０ａと第２熱交換器１０ｂとが互いに折れ曲がって配置され、さらに第２熱交換器１０ｂと第３熱交換器１０ｃとが互いに折れ曲がって配置される場合を例に挙げて説明した。
【００７２】
しかし、本発明はこれに限られるものではなく、例えば、図７に示すように、室内熱交換器１０は第１熱交換器１０ａと第２熱交換器１０ｂとが互いに折れ曲がって配置されているものであり、第２熱交換器１０ｂは、折れ曲がりのない形状のものであってもよい。この場合には、多少空気流れ方向の幅が大型化してしまうことにはなるが、送風抵抗を抑えつつ、一つのドレンパン１５によって凝縮水を回収することができ、空気流れ方向の幅を小型化させることができる。
【００７３】
（Ｄ）
上記実施形態では、空気調和装置１００の室内機１の吸込口４Ｓの上流側が略水平方向に開口しており、室内空気ＲＡを略水平方向に取り込む場合について、例を挙げて説明した。
【００７４】
しかし、本発明はこれに限定されるものではなく、図８に示すように、室内機１の吸込口４Ｓの上流側は、鉛直下向きに開口していてもよい。
【００７５】
この場合には、室内機１は、図８に示すように、図壁Ｗ近傍の天井に設置され、クロスフローファン１１が回転駆動すると、室内空間ＲＳからの室内空気ＲＡが吸込口４Ｓを通過すべく、鉛直上方に上昇して下流側に曲げられ、室内熱交換器１０を通過するように取り込まれる。そして、熱交換された調和空気ＳＡは、吹出口４Ｅを介して再び室内空間ＲＳに戻される。これにより、対象となる室内空間ＲＳが空調される。
【００７６】
（Ｅ）
上記実施形態の空気調和装置１００では、室内熱交換器１０の下流側にクロスフローファン１１を配置した場合を例に挙げて説明した。
【００７７】
しかし、本発明はこれに限られるものではなく、室内熱交換器１０の折れ曲がり向きおよび遮風板１７の配置位置が上流側であり、空気流れの形成される方向が上記実施形態と同じであれば、クロスフローファン１１の配置位置は特に制限を受けない。すなわち、クロスフローファン１１は、例えば、室内熱交換器１０の上流側に配置され、下流側に向かう空気流れを形成するものであってもよい。
【００７８】
また、空気流れを形成させるファンは、貫流ファンであるクロスフローファン１１等に限られるものではなく、例えば、多翼ファンであるシロッコファン等であってもよい。これらの場合であっても、ファンにおいて結露が生じるおそれを低減させることができる。
【産業上の利用可能性】
【００７９】
本発明を利用すれば、熱交換器の通過位置に応じた熱交換量の隔たりを低減させ、製造が容易なため、特に、熱交換器を備えた空気調和装置に適用することができる。
【図面の簡単な説明】
【００８０】
【図１】本発明の一実施形態にかかる空気調和装置の冷媒回路図である。
【図２】空気調和装置の室内機の設置状態を示す図である。
【図３】室内機の運転状態における側面視断面図である。
【図４】遮風板による空気流れの分割の様子を示す図である。
【図５】変形例（Ａ）に係る遮風板の側面視断面図である。
【図６】変形例（Ｂ）に係る遮風板の側面視断面図である。
【図７】変形例（Ｃ）に係る室内機の側面視断面図である。
【図８】変形例（Ｄ）に係る空気調和装置の室内機の設置状態を示す図である。
【図９】比較例に係る遮風板の形状を示す図である。
【符号の説明】
【００８１】
１  室内機
２  室外機
４  ケーシング
４Ｓ  吸込口
４Ｅ  吹出口
５  冷媒配管
１０  室内熱交換器（熱交換器）
１０ａ  第１熱交換器
１０ｂ  第２熱交換器
１０ｃ  第３熱交換器
１１  クロスフローファン（ファン、貫流ファン、多翼ファン）
１５  ドレンパン
１７  遮風板
２０  室外熱交換器
１００  空気調和装置
【図１】
2008292029.tif 000003
【図２】
2008292029.tif 000004
【図３】
2008292029.tif 000005
【図４】
2008292029.tif 000006
【図５】
2008292029.tif 000007
【図６】
2008292029.tif 000008
【図７】
2008292029.tif 000009
【図８】
2008292029.tif 000010
【図９】
2008292029.tif 000011